(57)【特許請求の範囲】
【請求項１】
立体形状の箱枠を形成するための少なくとも３以上の側板と、当該箱枠の開放部を閉じるための少なくとも１の蓋板とを備える一枚の基板から組み立て可能な包装用箱において、側板または蓋板に連接する１の表示片と、表示片が連接する側板または蓋板に、表示片の一部を差込保持可能に係止部を設け、当該表示片の先に、更に付加表示部を設けたことを特徴とする表示片つき包装用箱。
【請求項２】
前記係止部に差込保持可能な表示片の一部が、表示片の先端中央部
において突き出た形状に形成されたものである請求項第１項記載の表示片つき包装用箱。
【請求項３】
表示片の先端側において、吊り下げ用の穴を有するものである請求項第１項または第２項記載の表示片つき包装用箱。
【請求項４】
前記表示片と前記付加表示部の間において、前記係止部に差込保持可能な表示片の一部である先端中央部の突き出た形状部分のみが付加表示部と切り離されており、他の部分は折り曲げ可能に連接したものである請求項第２項または第３項の何れかの項記載の表示片つき包装用箱。
【請求項５】
前記付加表示部が交互に折り曲げ可能に連接された複数の片からなる請求項第１項ないし第４項の何れか１項に記載の表示片つき包装用箱。
【発明の詳細な説明】
【０００１】
【発明の属する技術分野】
本発明は、表示片つき包装用箱に関し、更に詳細には、輸送時等には表示片を折り畳むことのできる表示片つき包装用箱に関する。
【０００２】
【従来の技術】
従来より、化粧品や医薬部外品等については、包装用箱の後側に表示片を設け、この部分を目立つようにして展示し、販売することが行われている。また、医薬品等については、包装用箱に記載しきれない注意書等を別に設けた表示片に記載することも行われている。
【０００３】
しかしながら、このような表示片を設けた包装用箱は、この部分が突出し、流通時においては容積がかさばり、輸送効率が悪いという問題があった。また、突出した表示片は、輸送時など流通途中で折れ曲がったり、破損しやすいという問題があった。
【０００４】
そこで、一般の表皮片つき包装用箱では、表示片の長さを短くすることにより上記問題を回避しようとしているが、表示片の長さを短くすることは、販売店等における需要者への訴求力を低下させるものであり、また、医薬品等にあっては十分な記載スペースが得られず、別に使用説明書等の印刷物を箱体内に収めなければならないという別の問題が生じる。
【０００５】
【発明が解決しようとする課題】
従って、流通時においては、商品容積がかさばることや折れ曲がり、破損の問題がなく、しかも需要者に対する十分な訴求力を持った表示片を有する包装用箱の提供が求められており、本発明はこのような表示片つき包装用はこの提供をその課題とするものである。
【０００６】
【課題を解決するための手段】
本発明者らは、上記課題を解決すべく鋭意研究を行った結果、表示片が隣接する箱体面に、表示片を差し込み可能とする切れ込みを設け、これを係止部として商品の流通時に表示片を当該部分に差し込んでおけば、前記流通時におけるかさばりや、折れ曲がり、破損等の問題は全て解消することを見出し、本発明を完成した。
【０００７】
すなわち本発明は、立体形状の箱枠を形成するための少なくとも３以上の側板と、当該箱枠の開放部を閉じるための少なくとも１の蓋板とを備える一枚の基板から組み立て可能な包装用箱において、側板または蓋板に連接する１の表示片と、表示片が連接する側板または蓋板に、表示片を差込保持可能に係止部を設けたことを特徴とする表示片つき包装用箱を提供するものである。
【０００８】
また本発明は、表示片の先端側において、吊り下げ用の穴を有する上記の表示片つき包装用箱を提供するものである。
【０００９】
更に本発明は、表示片の先に更に付加表示部を設けた上記の表示片つき包装用箱を提供するものである。
【００１０】
【発明の実施の形態】
以下、本発明のいくつかの実施態様を示す図面と共に本発明を更に詳しく説明する。
【００１１】
図１は、最も基本的な本発明の表示片つき包装用箱の展開図である。図中、１は表示片つき包装用箱、２は側板、３は蓋板、４は挿入片、５は固着片、６は表示片、７は係止部（切れ込み）をそれぞれ示す。
【００１２】
図１の展開図において、点線部分を外側に、一点鎖線部分を内側に折り曲げ、固着片５を側板２ｄの表示片６と接する部分で固着させ、表示片６を係止部７に、挿入片４ａおよび４ｂを箱枠に差し込むことにより、本発明の表示片つき包装用箱１が得られる。なお、上記固着手段としては、接着や、ホチキス止め等を使用することができる。また、本発明の表示片つき包装用箱の基板の材料としても、ある程度の強度と折り曲げられる柔軟性がある材料であれば特に制約はなく、紙、プラスチック、プラスチックでコートされた紙等の材料を使用することができる。
【００１３】
図２は、組み立て時の表示片つき包装用箱１の外観を示す図面である。表示片６は係止部７に差し込まれており、一般の包装用箱と同じ形状である。従って、輸送時等流通段階において、商品がかさばったり、表示片が折れ曲がったり、破損することはない。
【００１４】
一方、図３は、展示や、注意書き等を読むために表示片６を係止部７から外した時の外観を示す図面である。例えば、化粧品や医薬部外品等であれば、展示に当たりこの部分を係止部７から外し、例えば、表示片が目立つように陳列したり、吊り下げ手段により吊り下げ展示することができる。また、本態様の包装箱では、開口部が左右にあるため、吊り下げ展示によっても箱自体が歪まず、ごみも入りにくいという利点もある。
【００１５】
図４は、別の態様の表示片つき包装用箱の展開図を示す。この態様の表示片つき包装箱では、表示片６が、先端中央部が突き出た形状のものであり、係止部７は一カ所となる。また、表示片６の突き出た部分（６ａ）には、吊り下げ穴８を設け、吊り下げ展示に適した形状となっている。なお、本態様においては、表示片に突き出た部分６ａを設けその近傍に吊り下げ穴８を設けているが、これに限られるわけではなく、突き出た部分６ａを設けることなく吊り下げ穴８を設けても良いことはいうまでもない。
【００１６】
図５は、更に別の態様の表示片つき包装用箱の展開図を示す。この態様の表示片つき包装箱では、表示片６の先に付加表示部９が設けられたものである。本態様では、表示片６と付加表示部９の間は、突き出た部分（６ａ）の形状のみが付加表示部９と切り離されており、他の部分は折り曲げ可能に連接している。また、付加表示部９は、単一の片であっても良いが、図５の９ａないし９ｅのように交互に折り曲げ可能とすることが好ましく、医薬品等のように注意書等の部分が多い場合も、これらの部分を用いて記載することができる。
【００１７】
なお、図５の態様においては、付加表示部９は、一体成形を可能とするため、他の部分の材料と同じもので調製されているが、異なる材料、例えば薄い紙等を用い、これを表示片６に接着しても良い。
【００１８】
以上、本発明の表示片つき包装用箱についていくつかの態様を挙げ説明してきたが、本発明はこれらの態様に限られないことはいうまでもない。たとえば、図１から図５の態様では、係止部７は、切れ込みの形状のもので説明したが、図６に示すように、別にポケット状の係止部７を設けても良い。
【００１９】
また、上記態様では側板が４枚で、箱枠の立体形状が長方形であるものを例に挙げたが、箱枠を三角柱の形状や、五角柱以上の多角柱の形状とすることもできるし、図７に示される展開図に従って角錐の形状としても良い。この態様では、固着片５で固着することにより、側板２ａ、２ｂおよび２ｃで三角錐が形成され、これに大きめの挿入片４ａ、４ｂを設けた蓋板３で蓋をした後、表示片６の先端を係止部７に差し込むことにより、商品を封入することができる。更に、上記態様では、表示片６と大きい方の側板（２ｂ、２ｄ）がほぼ同じ面積であったが、表示片の大きさをこれより小さくしたり、あるいは若干はみ出る程度に大きくしても良いことはいうまでもない。
【００２０】
更にまた、本発明の表示片つき包装用箱においては、固着するための固着片は存在しなくても良く、例えば図８に示すように、２枚の側板（２ａおよび２ｅ）に咬合部１０を設ければ、これをかみ合わせることにより箱を形成することもできる。
【００２１】
【発明の効果】
本発明によれば、輸送時等流通段階においては、表示片が突き出ることなく、需要者にわたる段階で係止部から外すことにより初めて表示片にその機能を果たさせることができるものである。また、医薬品の効能、注意書等記載事項が多くなるものであっても表示片あるいは付加表示部で十分に記載できる。
【００２２】
また、本発明の表示片つき包装用箱は、上記材料で一体成形することが可能であるため、別途注意書等の印刷物を箱体に納めたり、セットする手間が省け、入れ忘れ等のミスも防止できる等、製造面でもメリットがある。
【００２３】
このように、本発明は流通段階における表示片つき包装箱の欠点を解消したものであり、また、製造上の省力化や、ミスを防止することができるものであるため、化粧品、医薬部外品あるいは医薬品の包装用箱として有利に使用可能なものである。
【図面の簡単な説明】
【図１】  本発明の表示片つき包装用箱の一態様の展開図を示す図面である。
【図２】  図１の表示片つき包装用箱の組み立て時の外観を示す図面である。
【図３】  図１の表示片つき包装用箱の表示片表示時の外観を示す図面である。
【図４】  本発明の表示片つき包装用箱の別の態様の展開図を示す図面である。
【図５】  本発明の表示片つき包装用箱の他の別の態様の展開図を示す図面である。
【図６】  ポケット状の係止部を有する本発明の表示片つき包装用箱を示す図面である
【図７】  三角錐の形状である本発明の表示片つき包装箱の展開図を示す図面である。
【図８】  咬合により箱枠を形成する本発明の表示片つき包装箱の展開図を示す図面である。
【符号の説明】
１ … … 表示片つき包装用箱      ６ … … 表示片
２ … … 側板                    ７ … … 係止部（切れ込み）
３ … … 蓋板                    ８ … … 吊り下げ穴
４ … … 挿入片                  ９ … … 付加表示部
５ … … 固着片                １０ … … 咬合部
以    上
【図１】
0004943596.tif 000002
【図２】
0004943596.tif 000003
【図３】
0004943596.tif 000004
【図４】
0004943596.tif 000005
【図５】
0004943596.tif 000006
【図６】
0004943596.tif 000007
【図７】
0004943596.tif 000008
【図８】
0004943596.tif 000009